(57)【要約】      （修正有）【課題】汎用ボトルの口部に着脱自在に装着可能としたボトル用飲み口具を提供する。【解決手段】汎用ボトルの口部に着脱自在に被冠される筒手段６と、飲料を飲用する飲み口管と、筒手段の上部に横軸廻りに回動自在に枢結され、飲み口管を開閉するキャップ手段８により構成され、筒手段６の外周面から突設された翼片部１９と、該翼片部に縦軸廻りに回動自在に枢結されたハンドル２０を備えている。ハンドル２０は、翼片部１９の延長方向に延びる回動部２３と、該回動部から下向きに延びるグリップ部２４を設けており、縦軸の廻りに回動することにより、回動部２３を翼片部１９の突出延長方向に位置させたとき、グリップ部２４をボトル１の外周面から離間させた離間姿勢とし、回動部２３を翼片部１９の突出延長方向に交差する方向に位置させたとき、グリップ部２４をボトル１の外周面に近接させた近接姿勢とする。【選択図】図１
0003170043.tif 000002
【実用新案登録請求の範囲】
【請求項１】
飲料を貯留する汎用ボトルの口部に着脱自在に被冠される筒手段(6)と、該筒手段を挿通して前記ボトルの内部に向けて延びる吸引管(10)と前記筒手段の上方に向けて延びる飲み口管(11)を備えた管手段と、前記筒手段の上部に横軸廻りに回動自在に枢結されると共に前記飲み口管を開閉するキャップ手段(8)により構成されたボトル用飲み口具において、
前記筒手段(6)の外周面から突設された翼片部(19)と、該翼片部に縦軸廻りに回動自在に枢結されたハンドル(20)を備え、
前記ハンドル(20)は、翼片部(19)の延長方向に延びる回動部(23)と、該回動部から下向きに延びるグリップ部(24)を設けており、前記縦軸(21)の廻りに回動することにより、前記回動部(23)を翼片部(19)の突出延長方向に位置させたとき、グリップ部(24)をボトル(1)の外周面から離間させた離間姿勢(X)とし、前記回動部(23)を翼片部(19)の突出延長方向に交差する方向に位置させたとき、グリップ部(24)をボトル(1)の外周面に近接させた近接姿勢(Y)とするように構成されて成ることを特徴とするボトル用飲み口具。
【請求項２】
飲料を貯留する汎用ボトルの口部に着脱自在に被冠される筒手段(8)と、該筒手段の上方に向けて延びる飲み口管(11)を備えた管手段と、前記筒手段の上部に横軸廻りに回動自在に枢結されると共に前記飲み口管を開閉するキャップ手段(8)により構成されたボトル用飲み口具において、
前記筒手段(6)の直径方向に突設された一対の翼片部(19,19)と、該翼片部に縦軸廻りに回動自在に枢結された一対のハンドル(20,20)を備え、
前記ハンドル(20,20)は、翼片部(19,19)の延長方向に延びる回動部(23,23)と、該回動部から下向きに延びるグリップ部(24,24)を設けており、前記縦軸(21)の廻りに回動することにより、前記回動部(23,23)を翼片部(19,19)の突出延長方向に位置させたとき、グリップ部(24,24)をボトル(1)の外周面から離間させた離間姿勢(X,X)とし、前記回動部を(23,23)翼片部(19,19)の突出延長方向に交差する方向に位置させたとき、グリップ部(24,24)をボトル(1)の外周面に近接させた近接姿勢(Y,Y)とするように構成され、
一対のハンドル(20,20)を離間姿勢(X,X)としたとき、ユーザが一対のグリップ部(24,24)を両手で別々に把持し、一対のハンドル(20,20)を近接姿勢(Y,Y)としたとき、ユーザが一対のグリップ部(24,24)を片手で抱持するように構成されて成ることを特徴とするボトル用飲み口具。
【請求項３】
前記翼片部(19)は、キャップ手段(8)の横軸(7)と平行する筒手段(6)の直径方向に向けて突設されて成ることを特徴とする請求項１又は２に記載のボトル用飲み口具。
【考案の詳細な説明】
【技術分野】
【０００１】
本考案は、ペットボトル等、飲料を貯留する汎用ボトルの口部に着脱自在に装着可能としたボトル用飲み口具に関する。
【背景技術】
【０００２】
ペットボトルやアルミボトル等の汎用ボトルに飲料を貯留した状態で販売されている飲料商品は、口部にキャップを螺着しており、従って、ユーザは、キャップを取外した状態で、ボトルの口部から飲料を飲用している。
【０００３】
この点に関して、近年、汎用ボトルの口部に着脱自在とした飲み口具が提供され、好評を博している。このような飲み口具は、自動販売機等で購入した飲料商品を幼児等の児童に飲用させる際に便利である。
【先行技術文献】
【特許文献】
【０００４】
【特許文献１】特許第３２０７３９４号公報
【考案の概要】
【考案が解決しようとする課題】
【０００５】
上述のように、汎用ボトルに使用する飲み口具は、児童が飲料を飲用しやすいように考案されているが、幼児の場合、ボトルの外周面を手指で保持することが困難であり、ボトルを落下させるおそれがある。そこで、この場合、飲み口具に両手ハンドルを設けることが望ましい。
【０００６】
しかしながら、幼児等は、ボトルの飲料を飲み干すまで長時間を要するため、飲用中途で親等の保護者がボトルをバッグ等に保管し、必要に応じて、再び幼児に与える等、飲用と保管を繰り返す必要があり、保管に際して前記ハンドルが邪魔になるという問題がある。
【０００７】
その一方において、成長した児童や成人等は、両手ハンドルを両手で把持することによりボトルの飲料を飲用することには抵抗があり、片手で把持した飲み方が好まれる。
【０００８】
従って、本考案は、汎用ボトル用の飲み口具であって、飲用しやすいようにハンドルを設けること、ハンドルは保管時に折畳み可能であること、ハンドルは両手ハンドルと片手ハンドルを兼用できることを課題とするものである。
【課題を解決するための手段】
【０００９】
そこで、本考案が前記課題を解決するための第１の手段として構成したところは、飲料を貯留する汎用ボトルの口部に着脱自在に被冠される筒手段と、該筒手段を挿通して前記ボトルの内部に向けて延びる吸引管と前記筒手段の上方に向けて延びる飲み口管を備えた管手段と、前記筒手段の上部に横軸廻りに回動自在に枢結されると共に前記飲み口管を開閉するキャップ手段により構成されたボトル用飲み口具において、前記筒手段の外周面から突設された翼片部と、該翼片部に縦軸廻りに回動自在に枢結されたハンドルを備え、前記ハンドルは、翼片部の延長方向に延びる回動部と、該回動部から下向きに延びるグリップ部を設けており、前記縦軸の廻りに回動することにより、前記回動部を翼片部の突出延長方向に位置させたとき、グリップ部をボトルの外周面から離間させた離間姿勢とし、前記回動部を翼片部の突出延長方向に交差する方向に位置させたとき、グリップ部をボトルの外周面に近接させた近接姿勢とするように構成されて成る点にある。
【００１０】
また、本考案が第２の手段として構成したところは、飲料を貯留する汎用ボトルの口部に着脱自在に被冠される筒手段と、該筒手段の上方に向けて延びる飲み口管を備えた管手段と、前記筒手段の上部に横軸廻りに回動自在に枢結されると共に前記飲み口管を開閉するキャップ手段により構成されたボトル用飲み口具において、前記筒手段の直径方向に突設された一対の翼片部と、該翼片部に縦軸廻りに回動自在に枢結された一対のハンドルを備え、前記ハンドルは、翼片部の延長方向に延びる回動部と、該回動部から下向きに延びるグリップ部を設けており、前記縦軸の廻りに回動することにより、前記回動部を翼片部の突出延長方向に位置させたとき、グリップ部をボトルの外周面から離間させた離間姿勢とし、前記回動部を翼片部の突出延長方向に交差する方向に位置させたとき、グリップ部をボトルの外周面に近接させた近接姿勢とするように構成され、一対のハンドルを離間姿勢としたとき、ユーザが一対のグリップ部を両手で別々に把持し、一対のハンドルを近接姿勢としたとき、ユーザが一対のグリップ部を片手で抱持するように構成されて成る点にある。
【００１１】
前記翼片部は、キャップ手段の横軸と平行する筒手段の直径方向に向けて突設することが好ましく、これによりキャップ手段の開閉がハンドルに干渉することはなく、キャップ手段及びハンドルのそれぞれの機能を損なうことがない。
【考案の効果】
【００１２】
請求項１に記載の本考案によれば、飲み口具２の筒手段６に突設した翼片部１９にハンドル２０の回動部２３を縦軸２１の廻りに回動自在となるようにハンドル２０を設けているので、ハンドル２０を離間姿勢Ｘとすることにより、グリップ部２４を把持した安全な状態でボトル１の飲料を容易に飲用することができ、飲用を要しないときは、ハンドル２０を近接姿勢Ｙとすることにより、ボトル１の周囲に大きく張り出さないコンパクトとした状態でバッグ等に保管することができる。
【００１３】
請求項２に記載の本考案によれば、一対のハンドル２０、２０を離間姿勢Ｘ，Ｘとすることにより、幼児が一対のグリップ部２４、２４を両手で別々に把持した状態での両手飲み式の飲用を可能とする。そして、一対のハンドル２０、２０を近接姿勢Ｙ、Ｙとすれば、ユーザが一対のグリップ部２４、２４を片手で抱持状に把持した状態での片手飲み式の飲用を可能にすると共に、飲用を要しないときは、ハンドル２０、２０がボトル１の周囲に大きく張り出さないコンパクトとした状態でバッグ等に保管することができる。
【００１４】
請求項３に記載の本考案によれば、翼片部１９がキャップ手段８の横軸７と平行する筒手段６の直径方向に向けて突設されているので、キャップ手段８の開閉がハンドル２０に干渉することはなく、キャップ手段８及びハンドル２０のそれぞれの機能を損なうことがない。
【図面の簡単な説明】
【００１５】
【図１】本考案の１実施形態に係る飲み口具と汎用ボトルを示す斜視図である。
【図２】本考案の１実施形態に係る飲み口具の使用状態とハンドルの作用を示しており、（Ａ）は斜視図、（Ｂ）は平面図である。
【図３】ハンドルの枢結部を示す断面図である。
【図４】本考案の１実施形態に係る飲み口具を示しており、（Ａ）はキャップを閉じた状態の縦断面図、（Ｂ）はキャップを開いた状態の縦断面図である。
【図５】本考案の付加的実施形態を示しており、（Ａ）は正面図、（Ｂ）は縦断面図である。
【考案を実施するための形態】
【００１６】
以下図面に基づいて本考案の好ましい実施形態を詳述する。図１は、汎用ボトル１と、本考案の１実施形態に係る飲み口具２を示している。
【００１７】
汎用ボトル１は、自動販売機や店頭で販売されている飲料商品として飲料を貯留したペットボトルやアルミボトル等の汎用ボトルであり、販売時には、口部３の雄ねじ４にキャップを螺着しているが、該キャップを取外した状態を図示している。
【００１８】
飲み口具２は、図１及び図４に示すように、前記ボトル１の雄ねじ４に着脱自在に螺着される雌ねじ５を備えた筒手段６を備え、該筒手段６の上部に横軸７をヒンジとして開閉方向に回動自在に枢結されたキャップ手段８を設けている。
【００１９】
図４（Ａ）（Ｂ）にキャップ手段８を閉じた状態と開いた状態を示している。前記筒手段６は、ボトル１の口部３に被冠された状態で該口部３を閉鎖する平板部９を備え、該平板部を貫通して、ボトル１の内部に向けて延びる吸引管１０と、筒手段６の上方に向けて延びる飲み口管１１を構成する管手段を設けている。
【００２０】
前記飲み口管１１は、シリコン等のエラストマにより成形され、前記平板部９の下面に重ね合わせられることにより前記口部３を水密的にシールするシート状パッキン１２と一体成形され、飲み口管１１を平板部９の孔に下方から挿通すると共に、凹凸嵌合部１３を介して固定され、飲み口管１１を飲み口具２の正面側Ｆ（前記横軸７が設けられた部位と反対側）に向けて傾斜起立させている。
【００２１】
前記平板部９は、飲み口管１１の傾斜下面に向けて起立する山形突起１４を設け、キャップ手段８を閉じたとき、該山形突起１４とキャップ手段８の押さえ突起１５により飲み口管１１を図４（Ａ）に示すように折曲すると共に平らに潰し、該飲み口管１１の内部の流路を閉塞するように構成している。キャップ手段８を開くと、図４（Ｂ）に示すように、飲み口管１１が弾性復元して起立すると共に内部の流路を開放する。尚、図示のように、前記山形突起１４及びシート状パッキン１２を貫通する通気路が形成されている。
【００２２】
前記キャップ手段８は、横軸７に設けられたスプリング１６により、常時は開く方向に付勢されており、該スプリング１６に抗して閉じたとき、飲み口具２の正面側Ｆに設けられた係止手段１７に係脱自在に係止される。係止手段１７は、正面側Ｆから操作可能とされたボタン１８を備えており、図示省略したスプリングにより前記係止手段１７を係止させる方向に付勢されている。従って、ボタン１８を押すと、係止手段１７が解除され、キャップ手段８をスプリング１６により自動的に開放する。
【００２３】
上記構成において、図２及び図３に示すように、前記筒手段６は、前記キャップ手段８の横軸７と平行する該筒手段６の直径方向に向けて突出する一対の翼片部１９、１９を合成樹脂により一体に形成しており、該翼片部１９、１９に縦軸廻りに回動自在に枢結された一対の合成樹脂製のハンドル２０、２０を設けている。
【００２４】
図３に示すように、前記翼片部１９は、下面に頭付きの縦軸２１を垂設し、該縦軸２１の直径方向に溝２２を形成することにより半割り状に形成している。
【００２５】
ハンドル２０は、翼片部１９の下側に重ね合わせられると共に該翼片部１９の延長方向に延びる回動部２３と、該回動部２３から下向きに延びるグリップ部２４を設けており、図例の場合、回動部２３に近隣するグリップ部２４の上部に曲率半径を小とした弧状部２４ａを形成し、該弧状部２４ａからグリップ部２４の下端に至り曲率半径を大とした弓状部２４ｂを形成している。
【００２６】
前記回動部２３は、翼片部１９の下側に重ね合わせた状態で、縦軸２１を相対回動自在に嵌着する嵌着孔２５を形成しており、嵌着状態で縦軸２１が回動部２３の下面から突出することなく嵌着孔２５に納められるように構成している。
【００２７】
図２に示すように、前記ハンドル２０、２０は、前記縦軸２１の廻りに回動することにより、回動部２３、２３を翼片部１９、１９の延長方向に位置させたとき、グリップ部２４、２４をボトル１の外周面から離間させた離間姿勢Ｘとし、前記回動部２３，２３を翼片部１９，１９の交差方向に位置させたとき、グリップ部２４，２４をボトル１の外周面に近接させた近接姿勢Ｙとするように構成されている。
【００２８】
従って、図２に実線で示すように、一対のハンドル２０、２０を離間姿勢Ｘ，Ｘとしたときは、幼児が一対のグリップ部２４、２４を両手で別々に把持することができるので、いわゆる両手飲み式の飲用が可能である。
【００２９】
これに対して、図２に鎖線で示すように、一対のハンドル２０、２０を近接姿勢Ｙ、Ｙとしたときは、ユーザが一対のグリップ部２４、２４を片手で抱持するように把持することができるので、いわゆる片手飲み式の飲用が可能である。また、近接姿勢Ｙ、Ｙとされたハンドル２０、２０は、ボトル１の外周部に大きく張り出すことがないので、コンパクトとした状態でユーザのバッグ等に保管することができる。
【００３０】
図示実施形態は、一対の翼片部１９、１９と一対のハンドル２０、２０を設けた飲み口具２を示しているが、本考案は、１つの翼片部１９と１つのハンドル２０を設けたものとしても良い。その場合、１つのハンドル２０を離間姿勢Ｘとすることにより、片手飲み式の飲用が可能とされ、該ハンドル２０を近接姿勢Ｙとすることにより、コンパクト状態での保管が可能となる。
【００３１】
図５は、上記実施形態に対する付加実施形態を示しており、キャップ手段８の上部に任意のキャラクターフィギア等の装飾体２６を取付けるための取付部２７が設けられ、前記装飾体２６を含んでキャップ手段８の上部を被う透明又は半透明の透視フード２８が設けられている。その他の構成は、上記実施形態と同様である。
【符号の説明】
【００３２】
１  ボトル
２  飲み口具
３  口部
６  筒手段
７  横軸
８  キャップ手段
１０  吸引管
１１  飲み口管
１４  山形突起
１５  押さえ突起
１６  スプリング
１７  係止手段
１９  翼片部
２０  ハンドル
２１  縦軸
２３  回動部
２４  グリップ部
２４ａ  弧状部
２４ｂ  弓状部
【図１】
0003170043.tif 000003
【図２】
0003170043.tif 000004
【図３】
0003170043.tif 000005
【図４】
0003170043.tif 000006
【図５】
0003170043.tif 000007